(57)【要約】【課題】従来、グリップの感触でフェース面の向きを的確に知覚できるパターは存在しなかった。【解決手段】シャフトと、シャフトの一方端に設けられるヘッドと、シャフトの他方端に設けられるグリップとを具備し、グリップの側面は、１以上の平面を有し、１以上の平面のうちの一の平面のみが、ヘッドのフェース面に対して予め決められた角度をなすパターにより、プレーヤーが把持しているグリップの感触でフェース面の向きを的確に知覚できるパターが実現される。【選択図】図１
2019202733.tif 000002
【特許請求の範囲】
【請求項１】
シャフトと、
前記シャフトの一方端に設けられるヘッドと、
前記シャフトの他方端に設けられるグリップとを具備し、
前記グリップの側面は、１以上の平面を有し、
前記１以上の平面のうちの一の平面のみが、前記ヘッドのフェース面に対して予め決められた角度をなすパター。
【請求項２】
前記ヘッドのフェース面は、前記シャフトの中心線を含む鉛直面に対して傾斜しており、
前記一の平面の法線ベクトルの、前記シャフトの中心線に垂直な方向の成分が、前記ヘッドのフェース面の法線ベクトルの、前記シャフトの中心線に垂直な方向の成分に対して予め決められた角度をなす請求項１記載のパター。
【請求項３】
前記一の平面は、前記鉛直面に対して、前記ヘッドのフェース面の前記鉛直面に対する傾斜角と等しい角度だけ傾斜している請求項２記載のパター。
【請求項４】
前記一の平面が前記ヘッドのフェース面に対して予め決められた角度をなすように、前記シャフトと前記グリップとの間の軸周りの位置関係を規定するガイド機構をさらに具備する請求項１から請求項３いずれか一項に記載のパター。
【請求項５】
前記ガイド機構は、
前記位置関係を前記シャフトと前記グリップの形状により規定する機構である請求項４記載のパター。
【請求項６】
前記ガイド機構は、
前記位置関係を前記シャフトと前記グリップに表出された目印により規定する機構である請求項４記載のパター。
【請求項７】
前記グリップの側面は、一の平面のみを有し、
前記一の平面が、前記ヘッドのフェース面に対して予め決められた角度をなす請求項１から請求項６いずれか一項に記載のパター。
【請求項８】
前記一の平面は、硬質の素材である硬材で構成され、
前記一の平面を除いた部分は、軟質の素材である軟材で構成される請求項７記載のパター。
【請求項９】
前記予め決められた角度は１８０度である請求項１から請求項８いずれか一項に記載のパター。
【請求項１０】
前記予め決められた角度は、１３５度、９０度、４５度、または０度のうちのいずれか１つである請求項１から請求項８いずれか一項に記載のパター。
【請求項１１】
シャフトと、前記シャフトの一方端に設けられるヘッドとを具備するパターにおいて、前記シャフトの他方端に設けられるグリップであって、
その側面は、１以上の平面を有し、
前記１以上の平面のうち一の平面のみが、前記ヘッドのフェース面に対して予め決められた角度をなすグリップ。
【発明の詳細な説明】
【技術分野】
【０００１】
本発明は、ゴルフ用のパター等に関するものである。
【背景技術】
【０００２】
従来、フェース面の向きの安定性が高く、状況の変化に対応させやすいパターが存在した（例えば、特許文献１参照）。
【先行技術文献】
【特許文献】
【０００３】
【特許文献１】特開２００７−１１７３３３号公報
【発明の概要】
【発明が解決しようとする課題】
【０００４】
しかし、プレーヤーが把持しているグリップの感触でフェース面の向きを的確に知覚できるパターは存在しなかった。
【課題を解決するための手段】
【０００５】
本第一の発明のパターは、シャフトと、シャフトの一方端に設けられるヘッドと、シャフトの他方端に設けられるグリップとを具備し、グリップの側面は、１以上の平面を有し、１以上の平面のうちの一の平面のみが、ヘッドのフェース面に対して予め決められた角度をなすパターである。【０００６】
かかる構成により、プレーヤーが把持しているグリップの感触でフェース面の向きを的確に知覚できるパターが実現される。その結果、例えば、プレーヤーは、フェース面を的確にカップに向けることができ、パッティングの精度が向上する。【０００７】
本第二の発明のパターは、第一の発明に対して、ヘッドのフェース面は、シャフトの中心線を含む鉛直面に対して傾斜しており、一の平面の法線ベクトルの、シャフトの中心線に垂直な方向の成分が、ヘッドのフェース面の法線ベクトルの、シャフトの中心線に垂直な方向の成分に対して予め決められた角度をなすパターである。【０００８】
なお、一の平面の法線ベクトルの、シャフトの中心線に垂直な方向の成分とは、当該法線ベクトルの、シャフトの中心線に垂直な平面への正射影ベクトルである、といってもよい。同様に、ヘッドのフェース面の法線ベクトルの、シャフトの中心線に垂直な方向の成分とは、当該法線ベクトルの、シャフトの中心線に垂直な平面に対する正射影ベクトルである、といってもよい。【０００９】
かかる構成により、ヘッドのフェース面がシャフトの中心線を含む鉛直面に対して傾斜しているパターであり、プレーヤーが把持しているグリップの感触で、フェース面の法線ベクトルの水平成分の向きを的確に知覚できるパターが実現される。【００１０】
本第三の発明のパターは、第二の発明に対して、一の平面は、鉛直面に対して、ヘッドのフェース面の鉛直面に対する傾斜角と等しい角度だけ傾斜しているパターである。【００１１】
かかる構成により、フェース面の法線ベクトルの鉛直成分に関するコントロール（例えば、グリーン周囲の長い芝に埋もれているボールを斜め上方にパッティングしたり、グリーン上のボールを水平にパッティングしたり、あるいは、プレーヤーの好みによる両者の使い分け等）が容易となり、パッティングの精度がさらに向上する。【００１２】
本第四の発明のパターは、第一から第三いずれか１つの発明に対して、一の平面がヘッドのフェース面に対して予め決められた角度をなすように、シャフトとグリップとの間の軸周りの位置関係を規定するガイド機構をさらに具備するパターである。【００１３】
かかる構成により、一の平面がフェース面に対して容易に予め決められた角度をなすようにすることができる。【００１４】
また、本第五の発明のパターは、第四の発明に対して、ガイド機構は、位置関係をシャフトとグリップの形状により規定する機構であるパターである。【００１５】
かかる構成により、位置関係を合わせやすいパターが実現される。【００１６】
また、本第六の発明のパターは、第四の発明に対して、ガイド機構は、位置関係をシャフトとグリップに表出された目印により規定する機構であるパターである。【００１７】
かかる構成により、製造が容易なパターが実現される。【００１８】
また、本第七の発明のパターは、第一から第六いずれか１つの発明に対して、グリップの側面は、一の平面のみを有し、一の平面が、ヘッドのフェース面に対して予め決められた角度をなすパターである。【００１９】
かかる構成により、プレーヤーが把持しているグリップの一の平面の向きからフェース面の向きを的確に知覚できるパターが実現される。【００２０】
なお、本第七の発明において、グリップの側面のうち、一の平面を除いた部分は、全て曲面であってもよい。【００２１】
かかる構成により、プレーヤーが、把持しているグリップの感触でフェース面の向きを的確に知覚でき、かつ、把持しやすいパターが実現される。【００２２】
また、本第八の発明のパターは、第七の発明に対して、一の平面は、硬質の素材である硬材で構成され、一の平面を除いた部分は、軟質の素材である軟材で構成されるパターである。【００２３】
かかる構成により、フェース面の向きをより的確に知覚でき、かつ、より把持しやすいパターが実現される。【００２４】
また、本第九の発明のパターは、第一から第八いずれか１つの発明に対して、予め決められた角度は１８０度であるパターである。【００２５】
かかる構成により、一の平面がフェース面と平行なので、プレーヤーが把持しているグリップの一の平面の向きからフェース面の向きを的確に知覚できるパターが実現される。【００２６】
また、本第十の発明のパターは、第一から第八いずれか１つの発明に対して、予め決められた角度は、１３５度、９０度、４５度、または０度のうちのいずれか１つであるパターである。【００２７】
かかる構成により、一の平面がフェース面に対して、１３５度、９０度、４５度、または０度のうちのいずれか１つの角度をなすので、プレーヤーが把持しているグリップの一の平面の向きからフェース面の向きを、プレーヤーごとの把持の仕方によらず的確に知覚できるパターが実現される。
【発明の効果】
【００２８】
本発明によれば、プレーヤーが把持しているグリップの感触でフェース面の向きを的確に知覚できるパターが実現される。
【図面の簡単な説明】
【００２９】
【図１】実施の形態におけるパターの外観図
【図２】同ガイド機構の一例を示す図
【図３】同ガイド機構の他の例を示す図
【図４】同ガイド機構のその他の例を示す図
【図５】同パターをグリップエンドの上方から見下ろした図
【図６】同フェース面と一の平面との関係の一例を示す図
【図７】同フェース面と一の平面との関係の他の例を示す図
【図８】同フェース面と一の平面との関係のその他の例を示す図
【図９】同フェース面と一の平面との関係のさらにその他の例を示す図
【図１０】同フェース面と一の平面との関係の他の例を示す図
【図１１】変形例１におけるフェース面と一の平面および第二の平面との関係の一例を示す図
【図１２】変形例２におけるパターをグリップエンドの上方から見下ろした図
【図１３】変形例２におけるフェース面と、一の平面、第二の平面、および第三の平面との関係の一例を示す図
【図１４】シャフトの中心線を含む鉛直面に対する、フェース面の傾斜角と、一の平面の傾斜角との関係を示す図
【発明を実施するための形態】
【００３０】
以下、パター等の実施形態について図面を参照して説明する。なお、実施の形態において同じ符号を付した構成要素は同様の動作を行うので、再度の説明を省略する場合がある。
【００３１】
図１は、本実施の形態におけるパター１の外観図である。パター１は、シャフト１１、シャフト１１の一方端に設けられるヘッド１２、およびシャフト１１の他方端に設けられるグリップ１３を備える。
【００３２】
シャフト１１は、例えば、鉄などの金属、炭素繊維等で構成されるが、その素材は問わない。ヘッド１２は、例えば、鉄やチタンなどの金属で構成されるが、その素材は問わない。
【００３３】
グリップ１３は、例えば、ＡＢＳ樹脂やメラミン樹脂等の樹脂、金属など、その側面等に高い精度の平面を形成し得る素材であり、擦り減り難い硬質の素材（以下、硬材と記す場合がある）で構成されることは好適である。ただし、グリップ１３は、ゴムやエストラマ等の、硬材よりも柔らかく、手で把持し易い軟質の素材（軟材）で構成されてもよく、その素材は問わない。なお、手で把持し易いことは、例えば、グリップ１３が、手の形状や握力に応じて変形することにより、手に馴染むことであるが、汗や雨等で滑り難いことでもよい。
【００３４】
なお、グリップ１３は、例えば、硬材または軟材で形成された既存のグリップを削り加工することにより製造される。削り加工する際、グリップ１３の側面１３２に、後述するヘッド１２のフェース面１２１に対して予め決められた角度をなすような一の平面１３２１を形成する。これによって、プレーヤーが把持している手の感触でフェース面１２１の向きを的確に知覚できるグリップ１３が実現される。
【００３５】
または、グリップ１３は、硬材と軟材とを組み合わせて構成されてもよい。例えば、後述する一の平面１３２１を硬材で構成し、それ以外の部分を軟材で構成することは好適である。この種のグリップ１３は、例えば、軟材で形成された既存のグリップに対し、硬材で形成されたプレートなどの材料を接着剤やねじ等で取り付け、当該材料を平面加工することにより製造される。または、既存のグリップの表面を部分的に掘り込み加工して、その窪みに材料を埋め込み、当該材料を平面加工してもよく、この種のグリップ１３の製造方法は問わない。取り付けた又は埋め込んだ材料を平面加工する際にも、フェース面１２１に対して予め決められた角度をなすような一の平面１３２１を形成することは好適である。それによって、高精度で耐摩耗性に優れた一の平面１３２１を有し、かつ手で把持し易いグリップ１３が実現される。
【００３６】
ヘッド１２は、例えば、ネック１２２を介して、シャフト１１の一方端に固着される。ただし、ヘッド１２とシャフト１１の一方端との結合方法は問わない。
【００３７】
グリップ１３の底面１３１は、例えば、円形である。グリップ１３の底面１３１には、シャフト挿入孔１３１１が形成されている。なお、本実施の形態では、図１等に示されるように、パター１のヘッド１２側を下、グリップ１３側を上としているが、上下関係は逆でもよい。従って、例えば、底面１３１は、上面１３１と考えてもよい。
【００３８】
グリップ１３とシャフト１１とを結合する際に、例えば、グリップ１３は加熱されてもよい。シャフト１１の他方端が、この加熱されたグリップ１３のシャフト挿入孔１３１１に挿入される。時間が経過すると、グリップ１３は、その素材が有する熱的な性質（例えば、樹脂が有する熱可塑性または熱硬化性、金属が有する熱膨張性等）により、シャフト１１の他方端と着脱困難に結合される。
【００３９】
なお、着脱可能なグリップ１３を実現する場合は、例えば、ＡＢＳ樹脂やポリカーボネート等の、硬度が高く、耐摩耗性にも優れた熱可塑性樹脂を用いることは好適である。熱可塑性樹脂で構成されたグリップ１３は、加熱されることで軟化し、シャフト１１に対する装着が容易に行える。また、軟化した状態でシャフト１１に装着されたグリップ１３は、温度が下がると再び硬化し、シャフト１１に対して強固に結合される。ただし、グリップ１３とシャフト１１の他方端とは、例えば、接着剤で接着されてもよく、その結合方法は問わない。
【００４０】
ヘッド１２は、フェース面１２１を有する。フェース面１２１は、ゴルフボールと接触する面であり、通常、平面である。
【００４１】
グリップ１３の底面１３１は、例えば、卵形である。または、底面１３１は、卵形から、曲率が小さい方の端部（つまり、後端側の一部分：以下、後端部と記す場合がある）を切り取ったような形状でもよい。ただし、底面１３１は、楕円形や円形などでもよいし、楕円形等の一部分を切り取ったような形状でもよく、左右対称（線対称ともいう）であれば、その形状は問わない。
【００４２】
グリップ１３の側面１３２は、プレーヤーの両手によって把持される面である。グリップ１３の側面１３２は、本実施の形態では、通常、一の平面１３２１のみを有する。なお、一の平面１３２１のみを有することは、グリップ１３の側面１３２のうち、当該一の平面１３２１を除いた部分は、全て曲面であり、グリップ１３の側面１３２は、当該一の平面１３２１以外の平面を有さないことを意味する。また、全て曲面であることは、例えば、総じて曲面であり、局所的に平面が存在する場合も含む。グリップ１３の側面１３２のうち、当該一の平面１３２１を除いた部分は、例えば、円柱の側面の一部または円錐台の側面の一部の形状を有する。ただし、ここでいう円柱や円錐台は、完全な回転体でなくてもよく、例えば、一の方向に傾いたり反りを有したりしていても構わない。
【００４３】
言い換えると、グリップ１３の横断面は、卵形から後端部を直線で切り取った形状（例えば、図６等に参照番号１３で示されている網掛け部分のような形状）である。ただし、グリップ１３の横断面は、円形または楕円形から一部を直線で切り取った形状でもよく、一部が直線であり、かつ左右対称であれば、どのような形状でもよい。
【００４４】
具体的には、グリップ１３は、例えば、上面１３３が卵形であり、底底面１３１が円形であり、その間の横断面は、卵形から後端部を直線で切り取った形状である。ただし、上面１３３、底面１３１、およびその間の横断面の全てが、例えば、卵形から後端部を直線で切り取った形状でもよいし、円形または楕円形から後端部を直線で切り取った形状でも構わない。
【００４５】
グリップ１３の側面が有する一の平面１３２１の、シャフト１１の方向（軸方向ともいう）の長さは、例えば、グリップ１３の長さよりも短い（従って、グリップ１３の先端近傍または後端近傍のうち１以上は、平面の部分がなく、全て曲面である）。ただし、一の平面１３２１は、グリップ１３の先端から後端にまで達していても構わない。
【００４６】
ただし、グリップ１３の側面１３２は、一の平面１３２１に加えて、１または２以上の他の平面（第二の平面１３２２、第三の平面１３２３等）を、さらに有していてもよい。かかる変形例については後述する。
【００４７】
なお、パター１を構成するシャフト１１、ヘッド１２、およびグリップ１３の各々は、公益財団法人日本ゴルフ協会等が定めるゴルフ規則に準拠するものであれば、どのような形態を有していてもよい。
【００４８】
本実施の形態のパター１の主要な特徴は、グリップ１３の側面１３２が有する一の平面１３２１が、ヘッド１２のフェース面１２１に対して、予め決められた角度をなしている点である。なお、かかる事項は、後述する変形例にも共通する。また、以下で説明する各事項も、基本的には、変形例にも当てはまる。
【００４９】
本実施形態でいう角度とは、通常、グリップ１３の側面１３２が有する１以上の各平面（例えば、一の平面１３２１等）の法線ベクトルが、同じく平面であるフェース面１２１の法線ベクトルに対してなす角度である。以下では、かかる角度を「２平面の法線ベクトル間の角度」と呼ぶ場合がある。
【００５０】
なお、パター１において、ヘッド１２のフェース面１２１は、例えば、後述する図１４に示すように、シャフト１１の中心線を含む鉛直面に対して傾斜していてもよい。このような、フェース面１２１の鉛直面に対する傾斜角（ロフト角ともいう。例えば、２度〜４度）は、例えば、グリーン周囲の長い芝に埋もれているボールを、斜め上方にパッティングするのに役立つ。また、こうしてボールに鉛直上向きの速度成分を与えることで、ボールと芝との間の摩擦が軽減される結果、ボールの軌道が安定する。
【００５１】
この種のパター１においては、一の平面１３２１の法線ベクトルｎ１の、シャフト１１の中心線に垂直な方向の成分が、ヘッド１２のフェース面１２１の、シャフト１１の中心線に垂直な方向の成分に対して、予め決められた角度をなす。
【００５２】
または、角度は、例えば、グリップ１３の側面１３２が有する１以上の各平面（例えば、一の平面１３２１等）の法線ベクトルの、シャフト１１の中心線に対して垂直な方向の成分（例えば、シャフト１１の中心線が鉛直方向である場合における水平方向の成分：以下、水平成分と記す場合がある）が、同じく平面であるフェース面１２１の法線ベクトルの、シャフト１１の中心線に対して垂直な方向の成分（水平成分）に対してなす角度である、といってもよい。  ただし、例えば、一の平面１３２１およびフェース面１２１の各々がシャフト１１の中心線を含む鉛直面に対して平行である場合には、角度は、一の平面１３２１とフェース面１２１とがなす角度でもよく、その表現形式は問わない。以下では、かかる角度を「２平面間の角度」と呼ぶ場合がある。
【００５３】
パター１は、例えば、ガイド機構を有する。ガイド機構とは、一の平面１３２１がフェース面１２１に対して「予め決められた角度」をなすように、シャフト１１とグリップ１３との間の軸周りの位置関係を規定する機構である。なお、予め決められた角度の具体的な値については後述する。
【００５４】
ガイド機構は、例えば、シャフト１１とグリップ１３の形状によって、上記のような位置関係を規定する機構（以下、形状によるガイド機構）である。形状によるガイド機構は、例えば、シャフト１１とグリップ１３の、互いに係合する２つの部位で構成される。なお、係合することは、２つの部位の形状が合うことであるといってもよい。２つの部位は、例えば、一対のガイド面でもよいし、凹部および凸部の組でもよい。
【００５５】
形状によるガイド機構の一種であり、一対のガイド面で構成されたガイド機構の一例を図２に示す。このガイド機構は、シャフト１１側のガイド面１１１と、これに係合する、グリップ１３側のガイド面１３１１ａとで構成される。
【００５６】
詳しくは、シャフト１１の側面は、その他方端から軸方向に伸びる第一ガイド面１１１を有する。第一ガイド面１１１は、例えば、平面であるが、シャフト１１の側面に対して軸周りの曲率が異なる曲面でもよい。また、第一ガイド面１１１には、軸方向に伸びる１または２以上の線条（第一線条群：図示しない）が形成されていてもよい。
【００５７】
ヘッド１２は、例えば、そのフェース面１２１が、シャフト１１の第一ガイド面１１１に対して上記予め決められた角度をなすように、シャフト１１の一方端に固着される。ただし、フェース面１２１が第一ガイド面１１１に対してなす角度は、必ずしも上記の予め決められた角度でなくてもよい。
【００５８】
他方、グリップ１３の底面１３１側に形成されたシャフト挿入孔１３１１の内側面は、一の平面１３２１に対して上記予め決められた角度をなす第二ガイド面１３１１ａを有する。ただし、第二ガイド面１３１１ａが一の平面１３２１に対してなす角度は、上記予め決められた角度でなくてもよく、フェース面１２１が第一ガイド面１１１に対してなす角度と同じ角度であればよい。
【００５９】
第二ガイド面１３１１ａもまた、例えば、平面であるが、第一ガイド面１１１と軸周りの曲率が同じ曲面でもよい。また、第二ガイド面１３１１ａには、第一ガイド面１１１側の上記第一線条群と係合する１または２以上の線条（第二線条群：図示しない）が形成されていてもよい。なお、ここでいう係合は、第一ガイド面１１１に形成された第一線条群の凹凸と、第二ガイド面１３１１ａに形成された第二線条群の凹凸とが嵌り合うこと（嵌合）である。こうして第一線条群と第二線条群とが嵌合することで、第一ガイド面１１１と第二ガイド面１３１１ａとは、着脱困難に係合（接合）する。つまり、係合は、凹部および凸部の嵌合や、面同士の接合などを含み、広く解する。
【００６０】
なお、第一ガイド面１１１の幅は、例えば、シャフトの直径の半分であるが、３分の１でも、３分の２でもよく、その大小は問わない。また、第一ガイド面１１１の長さは、例えば、グリップ１３の長さと同じであるが、半分でも、１．５倍でもよく、その長短も問わない。
【００６１】
また、第二ガイド面１３１１ａの幅および長さは、例えば、第一ガイド面１１１の幅および長さと同じである又はこれより僅かに大きい。ただし、第一ガイド面１１１の長さは、第二ガイド面１３１１ａの長さよりも長くてもよい。さらに、かかる一対のガイド面の形状も、互いに係合し得る形状であれば、どのような形状でもよい。
【００６２】
さらに、通常、第二ガイド面１３１１ａは、その全部が、第一ガイド面１１１と係合する一方、第一ガイド面１１１には、第二ガイド面１３１１ａと係合しない部分があってもよい。
【００６３】
そして、第一ガイド面１１１を有するシャフト１１の他方端が、第二ガイド面１３１１ａを有するシャフト挿入孔１３１１に、当該第一ガイド面１１１と当該第二ガイド面１３１１ａとが係合するように挿入されると、一の平面１３２１は、フェース面１２１に対して、上記予め決められた角度をなす結果となる。
【００６４】
形状によるガイド機構の他の一種であり、凹部および凸部で構成されたガイド機構の一例を図３に示す。このガイド機構は、シャフト１１の他方端に形成されたガイド凹部１１２と、グリップ１３のシャフト挿入孔１３１１の内側面に形成され、当該ガイド凹部１１２と嵌合するガイド凸部１３１１ｂとで構成される。なお、シャフト１１側に凸部が形成され、グリップ１３側に凹部が形成されても構わない。また、凹部および凸部は、図３では三角形であるが、例えば、矩形や半円形等でもよく、その形状は問わない。さらに、凹部および凸部の位置は、図２に示した一対のガイド面の位置と同じでよい。
【００６５】
または、ガイド機構は、前述したような位置関係を、シャフト１１とグリップ１３に表出された目印により規定する機構であってもよい。なお、表出は、例えば、レーザによる刻印、インクによる印刷等であるが、その手法は問わない。また、目印は、例えば、三角形、丸印、線分等の図形であるが、角度を示す文字や記号を含んでもよく、その態様は問わない。
【００６６】
目印によるガイド機構の一例を図４に示す。このガイド機構は、シャフト１１の側面の、他方端の近傍に表出された第一ガイド目印１１３と、グリップ１３の底面１３１の、シャフト挿入孔１３１１の近傍に表出された第二ガイド目印１３１１ｃとの、一対の目印で構成される。
【００６７】
なお、第二ガイド目印１３１１ｃは、例えば、グリップ１３の底面１３１の、側面１３２の近傍に表出されてもよいし、シャフト挿入孔１３１１と側面１３２との中間に表出されてもよく、その径方向の位置は問わない。または、第二ガイド目印１３１１ｃは、例えば、グリップ１３の側面１３２の、底面１３１の近傍に表出されてもよく、その軸方向の位置も問わない。
【００６８】
また、一対の目印の軸周りの位置は、図２に示した一対のガイド面の軸周りの位置、または図３に示した凹部および凸部の軸周りの位置と同じでよい。
【００６９】
パター１では、図２〜図４に示したようなガイド機構によって、一の平面１３２１がフェース面１２１に対して容易に予め決められた角度をなすので、プレーヤーは、シャフト１１とグリップ１３と間の軸周りの位置関係を特に意識しなくても、一の平面１３２１がフェース面１２１に対して予め決められた角度をなすように、グリップ１３をシャフトに装着することできる。従って、グリップ１３を容易に交換できるパター１が実現される。
【００７０】
ただし、上記のようなガイド機構は必須ではなく、例えば、パター１を製造する製造者が、専用の装着器具を用いて、シャフト１１とグリップ１３と間の軸周りの位置関係を、一の平面１３２１がフェース面１２１に対して予め決められた角度をなすように予め調節した状態で、シャフト１１の他方端をグリップ１３のシャフト挿入孔１３１１に着脱困難に結合または固着してもよい。
【００７１】
または、パター１は、上記のようなガイド機構を、２以上、有していてもよい。このように、一の平面１３２１がフェース面１２１に対して予め決められた角度をなすようにするための手法は問わない。
【００７２】
図５は、パター１を、グリップ１３の上面１３３（つまり、グリップエンド）の上方から見下ろした図である。なお、図示されている上面１３３は、前述したような横断面でもよい。プレーヤーが、グリップ１３を両手で把持し、ヘッド１２のフェース面１２１がゴルフボールの右側と接するように構えたとき、パター１は、図５に示すような姿勢となる。
【００７３】
なお、かかる姿勢で、一の平面１３２１には、例えば、プレーヤーの右手人差し指が当接してもよい。
【００７４】
図５の姿勢において、ヘッド１２のフェース面１２１の法線ベクトルｎ０と、グリップ１３の側面１３２が有する一の平面１３２１の法線ベクトルｎ１とは、例えば、図６に示すような関係となる。図６において、フェース面１２１の法線ベクトルｎ０は、左を向いており、一の平面１３２１の法線ベクトルｎ１は、右を向いていることから、一の平面１３２１のフェース面１２１に対する角度は、１８０度である。なお、角度が１８０度であることは、一の平面１３２１の法線ベクトルｎ１が、ヘッド１２のフェース面１２１の法線ベクトルｎ０に対して、１８０度の角度をなしていることを意味する。
【００７５】
ただし、１８０度は、２平面間の角度としては、０度または平行と同等である。すなわち、一の平面１３２１は、ヘッド１２のフェース面１２１に対して０度である、といってもよい。または、一の平面１３２１は、ヘッド１２のフェース面１２１に対して平行である、ということもできる。
【００７６】
なお、予め決められた角度が１８０度である場合において、一の平面１３２１は、通常、フェース面１２１の裏側に存在する。裏側とは、フェース面１２１の、ゴルフボールが接触する側とは反対側である。裏側に存在することは、例えば、図６に示すように、一の平面１３２１とフェース面１２１とが、同一平面内に存在する場合も含むと考えてもよい。ただし、一の平面１３２１は、フェース面１２１の側に存在してもよく、一の平面１３２１とフェース面１２１との位置関係は問わない。
【００７７】
または、予め決められた角度は、図７に示すように、１３５度でもよい。すなわち、一の平面１３２１は、ヘッド１２のフェース面１２１に対して、１３５度であってもよい。なお、１３５度とは、一の平面１３２１の法線ベクトルｎ１がフェース面１２１の法線ベクトルｎ０に対して１３５度であることを意味する。ただし、１３５度は、２平面間の角度としては、４５度と同等である。すなわち、一の平面１３２１は、フェース面１２１に対して４５度である、といってもよい。
【００７８】
または、予め決められた角度は、図８に示すように、９０度でもよい。すなわち、一の平面１３２１は、ヘッド１２のフェース面１２１に対して、９０度であってもよい。なお、９０度とは、一の平面１３２１の法線ベクトルｎ１がフェース面１２１の法線ベクトルｎ０に対して９０度であることを意味する。ただし、９０度は、２平面間の角度としては、垂直と同等である。すなわち、一の平面１３２１は、フェース面１２１に対して垂直である、といってもよい。
【００７９】
または、予め決められた角度は、図９に示すように、４５度でもよい。すなわち、一の平面１３２１は、ヘッド１２のフェース面１２１に対して、４５度であってもよい。なお、４５度とは、一の平面１３２１の法線ベクトルｎ１がフェース面１２１の法線ベクトルｎ０に対して４５度であることを意味する。ただし、４５度は、２平面間の角度としては、１３５度と同等である。すなわち、一の平面１３２１は、フェース面１２１に対して１３５度である、といってもよい。
【００８０】
または、予め決められた角度は、図１０に示すように、０度でもよい。すなわち、一の平面１３２１は、ヘッド１２のフェース面１２１に対して、０度であってもよい。なお、０度とは、一の平面１３２１の法線ベクトルｎ１がフェース面１２１の法線ベクトルｎ０に対して０度であることを意味する。ただし、０度は、２平面間の角度としては、平行と同等である。すなわち、一の平面１３２１は、フェース面１２１に対して平行である、といってもよい。
【００８１】
なお、予め決められた角度が０度の場合において、一の平面１３２１は、通常、フェース面１２１の側に存在する。ただし、一の平面１３２１は、フェース面１２１の裏側に存在してもよく、一の平面１３２１とフェース面１２１との位置関係は問わない。
【００８２】
なお、以上では、グリップ１３の側面１３２が一の平面１３２１のみを有する場合について説明したが、グリップ１３の側面１３２は、２以上の平面（例えば、一の平面１３２１、第二の平面１３２２、第三の平面１３２３等）を有していてもよい。
【００８３】
かかる場合、グリップ１３の側面１３２の２以上の平面（１３２１〜１３２３等）のうち一の平面１３２１のみが、ヘッド１２のフェース面１２１に対して、前述したような予め決められた角度（例えば、１８０度、１３５度、９０度、４５度、または０度のうちいずれか）をなしていればよく、他の１以上の各平面（１３２２，１３２３等）は、通常、ヘッド１２のフェース面１２１に対して、当該予め決められた角度と異なる角度（例えば、予め決められた角度が１８０度の場合は、４５度、６０度、３０度等）をなす。
【００８４】
ただし、例えば、グリップ１３の側面１３２が２つの平面（一の平面１３２１および第二の平面１３２２）のみを有する場合は、ゴルフ規則に定められている「パターのグリップは、その横断面が左右対称でなければならない」という旨の条件を満たすために、一の平面１３２１の法線ベクトルｎ１と、第二の平面１３２２の法線ベクトルｎ２とは、反対方向を向いている必要がある。
【００８５】
（変形例１ａ）
具体的には、例えば、図１１に示すように、一の平面１３２１の法線ベクトルｎ１がフェース面１２１の法線ベクトルｎ０に対してなす角度（これをθ１とする）が１８０度であり、かつ、第二の平面１３２２の法線ベクトルｎ２がフェース面１２１の法線ベクトルｎ０に対してなす角度（これをθ２とする）０度であってもよい。
【００８６】
（変形例１ｂ）
または、角度θ１が１３５度であり、かつ角度θ２が４５度でもよい。
【００８７】
（変形例１ｃ）
または、角度θ１が９０度であり、かつ角度θ２が−９０度でもよい。
【００８８】
なお、以上では特に言及しなかったが、フェース面１２１の法線ベクトルｎ０に対する一の平面１３２１等の角度は、反時計回りを正（通常、符号なしであるが、符号“＋”付きでもよい）で表現し、時計回りを負（符号“−”付き）で表現している。
【００８９】
（変形例１ｄ）
または、角度θ１が４５度であり、かつ角度θ２が−１３５度でもよい。
【００９０】
（変形例１ｅ）
または、角度θ１が０度であり、かつ角度θ２が−１８０度でもよい。
【００９１】
なお、上記変形例１ａ〜１ｅは、例えば、「シャフト１１と、シャフト１１の一方端に設けられるヘッド１２と、シャフト１１の他方端に設けられるグリップ１３とを具備し、グリップ１３の側面１３２は、一の平面１３２１、およびこれと平行な第二の平面１３２２を有し、一の平面１３２１および第二の平面１３２２が、ヘッド１２のフェース面１２１に対して予め決められた角度（例えば、１８０度、１３５度、９０度、４５度、０度）をなすパター１Ａ」と定義してもよい。
【００９２】
ただし、上記変形例１ａ〜１ｅのうち１または２以上は、本実施の形態から排除されてもよい。
【００９３】
以下には、図５および図６に示したパター１を基本とする別の変形例２として、グリップ１３の側面１３２が、上記一の平面１３２１と、他の２つの平面（第二の平面１３２２および第三の平面１３２３）との、３平面を有するパター１Ｂについて説明する。
【００９４】
（変形例２）
図１２は、変形例２におけるパター１Ｂを、図５の場合と同様に、グリップエンドの上方から見下ろした図である。なお、図示されたグリップエンドは、グリップ１３の上面１３３とは限らず、その横断面でもよい。パター１Ｂは、シャフト１１、シャフト１１の一方端に設けられるヘッド１２、およびシャフト１１の他方端に設けられるグリップ１３を備える。グリップ１３の側面１３２は、一の平面１３２１、第二の平面１３２２、および第三の平面１３２３を有する。
【００９５】
図１２の姿勢において、一の平面１３２１の法線ベクトルｎ１と、フェース面１２１の法線ベクトルｎ０との間の角度（これをθ０とする）は、例えば、図１３に示すように、１８０度である。また、第二の平面１３２２の法線ベクトルｎ２と、フェース面１２１の法線ベクトルｎ０との間の角度（これをθ１とする）は、例えば、−４５度であり、さらに、第三の平面１３２３の法線ベクトルｎ３と、フェース面１２１の法線ベクトルｎ０との間の角度（これをθ２とする）は、例えば、４５度である。
【００９６】
なお、かかる姿勢で、例えば、一の平面１３２１には、プレーヤーの右手人差し指が当接し、第二の平面１３２２には、プレーヤーの左手親指が当接し、第三の平面１３２３には、プレーヤーの左手人差し指が当接してもよい。
【００９７】
なお、上記３つの角度の組（θ１，θ２，θ３）は、（１８０度，−４５度，４５度）に限らず、例えば、（１８０度，−６０度，６０度）でもよし、（１８０度，−３０度，３０度）でもよい。
【００９８】
または、３つの角度の組（θ１，θ２，θ３）は、（１３５度，−９０度，０度）でもよいし、（１３５度，−１０５度，１５度）でもよいし、（１３５度，−７５度，−１５度）でも構わない。
【００９９】
または、３つの角度の組（θ１，θ２，θ３）は、（１３５度，−９０度，０度）でもよいし、（１３５度，−１０５度，１５度）でもよいし、（１３５度，−７５度，−１５度）でも構わない。
【０１００】
なお、変形例２では、グリップ１３の側面１３２が、一の平面１３２１、第二の平面１３２２、および第三の平面１３２３の３平面を有するパター１Ｂについて説明したが、グリップ１３の側面１３２は、例えば、「グリップの横断面は左右対称であること」等のゴルフ規則に準拠するものであれば、４平面以上を有していてもよく、その平面の数は問わない。
【０１０１】
ただし、変形例２の全部または一部は、本実施の形態から排除されてもよい。
【０１０２】
なお、本実施の形態では、右利き用のパターについて説明したが、左手等の「左」を「右」と読み替え、右手等の「右」を「左」と読み替え、図面の左右を反転することで、左利き用のパターにも適用できる。
【０１０３】
以上、本実施の形態によれば、シャフト１１と、シャフト１１の一方端に設けられるヘッド１２と、シャフト１１の他方端に設けられるグリップ１３とを具備し、グリップ１３の側面１３２は、１以上の平面（１３２１，１３２２，１３２３等）を有し、１以上の平面のうちの一の平面１３２１のみが、ヘッド１２のフェース面１２１に対して予め決められた角度をなすパター（１，１Ａ，１Ｂ）により、プレーヤーは、把持しているグリップ１３の感触でフェース面１２１の向きを的確に知覚できる。その結果、プレーヤーは、例えば、フェース面１２１を的確にカップに向けることが可能となり、パッティングの精度が向上する。
【０１０４】
また、上記パター１において、ヘッド１２のフェース面１２１は、シャフト１１の中心線を含む鉛直面に対して傾斜しており、一の平面１３２１の法線ベクトルの、シャフト１１の中心線に垂直な方向の成分（つまり、当該法線ベクトルの、シャフトの中心線に垂直な平面への正射影ベクトル）が、ヘッド１２のフェース面１２１の法線ベクトルの、シャフト１１の中心線に垂直な方向の成分（同様に、当該法線ベクトルの、シャフトの中心線に垂直な平面への正射影ベクトル）に対して、予め決められた角度をなすことにより、プレーヤーは、把持しているグリップ１３の感触で、フェース面１２１の法線ベクトルの水平成分の向きを的確に知覚できる。この種のパター１の一例を、図１４に示す。
【０１０５】
図１４には、フェース面１２１の法線ベクトルｎ０と、一の平面１３２１の法線ベクトルｎ１とが、図６に示したような関係を有するパター１に関し、シャフト１１の中心線を含む鉛直面に対する、フェース面１２１の傾斜角φ１と、一の平面１３２１の傾斜角φ２との関係の一例として、傾斜角φ１と傾斜角φ２とが等しい場合が示されている。なお、傾斜角φ１と傾斜角φ２とが等しい場合とは、等しいと見なし得るほど近い角度である場合も含んでもよく、広く解し得る。また、傾斜角φ１および傾斜角φ２は、例えば、２度〜４度であるが、これに限らない。さらに、かかる事項は、図７〜図１３に示したパター１に関しても当てはまる。
【０１０６】
このようなパター１により、フェース面１２１の法線ベクトルの鉛直成分に関するコントロール（例えば、グリーン周囲の長い芝に埋もれているボールを斜め上方にパッティングしたり、グリーン上のボールを水平にパッティングしたり、あるいは、プレーヤーの好みによる両者の使い分け等）が容易となり、パッティングの精度がさらに向上する。
【０１０７】
また、パター１等は、一の平面１３２１がヘッド１２のフェース面１２１に対して予め決められた角度をなすように、シャフト１１とグリップ１３との間の軸周りの位置関係を規定するガイド機構（１１１および１３１１ａ、１１２および１３１１ｂ、１１３および１３１１ｃ）をさらに具備することにより、一の平面１３２１がフェース面１２１に対して容易に予め決められた角度をなすようにすることができる。
【０１０８】
また、ガイド機構（１１１および１３１１ａ、１１２および１３１１ｂ）は、上記のような位置関係を、シャフト１１とグリップ１３の形状により規定する機構であることにより、位置関係を合わせやすいパター１が実現される。
【０１０９】
または、ガイド機構（１１３および１３１１ｃ）は、上記のような位置関係を、シャフト１１とグリップ１３に表出された目印により規定する機構であることにより、製造が容易なパター１が実現される。
【０１１０】
また、上記のようなパターであって、グリップ１３の側面１３２は、一の平面１３２１のみを有し、一の平面１３２１が、ヘッド１２のフェース面１２１に対して予め決められた角度をなすパター１により、プレーヤーは、把持しているグリップ１３の一の平面の向きからフェース面１２１の向きを的確に知覚できる。
【０１１１】
また、上記のようなパターであって、一の平面１３２１の、シャフト１１の方向の長さは、グリップ１３の長さよりも短いパター（１，１Ａ，１Ｂ）により、プレーヤーが、把持しているグリップの感触でフェース面の向きを的確に知覚でき、かつ、把持しやすいパターが実現される。
【０１１２】
また、上記のようなパターであって、グリップ１３の側面１３２のうち、一の平面１３２１を除いた部分は、全て曲面であるパター１により、プレーヤーが、把持しているグリップの感触でフェース面の向きを的確に知覚でき、かつ、把持しやすいパターが実現される。
【０１１３】
また、一の平面１３２１は硬材で構成され、一の平面１３２１を除いた部分は軟材で構成されることにより、フェース面１２１の向きをより的確に知覚でき、かつ、より把持しやすいパター１が実現される。
【０１１４】
また、上記のようなパターであって、予め決められた角度が１８０度であるパター（１，１Ａ，１Ｂ）により、一の平面１３２１がフェース面１２１と平行なので、プレーヤーは、グリップ１３の一の平面１３２１の向きからフェース面１２１の向きを的確に知覚できる。
【０１１５】
また、上記のようなパターであって、予め決められた角度が、１３５度、９０度、４５度、または０度のうちのいずれか１つの角度であるパター（１，１Ａ，１Ｂ）により、プレーヤーは、把持しているグリップ１３の一の平面１３２１の向きから、フェース面１２１の向きを、プレーヤーごとの把持の仕方によらず的確に知覚できるパターが実現される。
【０１１６】
さらに、シャフト１１と、シャフト１１の一方端に設けられるヘッド１２とを具備するパター（１，１Ａ，１Ｂ）において、シャフト１１の他方端に設けられるグリップ１３であって、その側面１３２は、１以上の平面（１３２１，１３２２，１３２３等）を有し、１以上の平面のうち一の平面１３２１のみが、ヘッド１２のフェース面１２１に対して予め決められた角度をなすグリップ１３により、プレーヤーは、その把持している感触でフェース面１２１の向きを的確に知覚できる、パター用のグリップが実現される。
【０１１７】
以上の実施の形態では、シャフト１１とは別部品のグリップ１３を具備しているパター１について記載しているが、グリップ１３が必ずしも別部品で形成されている必然性は無く、そのようなパターにおいては、シャフト１１の内、プレーヤーが把持している周辺をグリップ１３として解釈すべきである。
【０１１８】
本発明は、以上の実施の形態に限定されることなく、種々の変更が可能であり、それらも本発明の範囲内に包含されるものであることは言うまでもない。
【産業上の利用可能性】
【０１１９】
以上のように、本発明にかかるパターは、プレーヤーが把持しているグリップの感触でフェース面の向きを的確に知覚できるという効果を有し、パター等として有用である。
【図１】
2019202733.tif 000003
【図２】
2019202733.tif 000004
【図３】
2019202733.tif 000005
【図４】
2019202733.tif 000006
【図５】
2019202733.tif 000007
【図６】
2019202733.tif 000008
【図７】
2019202733.tif 000009
【図８】
2019202733.tif 000010
【図９】
2019202733.tif 000011
【図１０】
2019202733.tif 000012
【図１１】
2019202733.tif 000013
【図１２】
2019202733.tif 000014
【図１３】
2019202733.tif 000015
【図１４】
2019202733.tif 000016
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
シャフトと、
前記シャフトの一方端に設けられるヘッドと、
前記シャフトの他方端に設けられるグリップとを具備し、
前記グリップの側面は、１以上の平面を有し、
前記１以上の平面のうちの一の平面のみが、前記ヘッドのフェース面に対して予め決められた角度をなし、
前記グリップの底面には、前記他方端が挿入されるシャフト挿入孔が形成され、
前記一の平面が前記ヘッドのフェース面に対して予め決められた角度をなす状態で前記他方端が前記シャフト挿入孔に挿入されるように、前記シャフトと前記グリップとの間の軸周りの位置関係を規定するガイド機構をさらに具備し、
前記ガイド機構は、
前記シャフトの側面の前記他方端の近傍に表出された第一ガイド目印と、
前記他方端が前記シャフト挿入孔に挿入される際に前記第一ガイド目印と位置合わせされる第二ガイド目印であって、前記グリップの底面の、前記シャフト挿入孔の近傍もしくは当該シャフト挿入孔と当該グリップの側面との中間、または、前記グリップの側面の前記底面の近傍、に表出された第二ガイド目印とを有する、パター。
【請求項２】
前記グリップの側面は、一の平面のみを有し、
前記一の平面が、前記ヘッドのフェース面に対して予め決められた角度をなす請求項１記載のパター。
【請求項３】
前記一の平面は、硬質の素材である硬材で構成され、
前記一の平面を除いた部分は、軟質の素材である軟材で構成される請求項２記載のパター。
【請求項４】
前記予め決められた角度は１８０度である請求項１から請求項３いずれか一項に記載のパター。
【請求項５】
前記予め決められた角度は、１３５度、９０度、４５度、または０度のうちのいずれか１つである請求項１から請求項３いずれか一項に記載のパター。
【請求項６】
前記ヘッドのフェース面は、前記シャフトの中心線を含む鉛直面に対して、当該鉛直面と直交する直線を前後方向としたときに、当該フェース面の右側の縁と左側の縁の前後方向の位置が相違し、上側の縁と下側の縁の前後方向の位置は一致するように、傾斜しており、
前記一の平面の法線ベクトルの、前記シャフトの中心線に垂直な方向の成分が、前記ヘッドのフェース面の法線ベクトルの、前記シャフトの中心線に垂直な方向の成分に対して予め決められた角度をなす請求項４記載のパター。
【請求項７】
前記一の平面は、前記鉛直面に対して、前記ヘッドのフェース面の前記鉛直面に対する傾斜角と等しい角度だけ傾斜している請求項６記載のパター。
【請求項８】
シャフトと、前記シャフトの一方端に設けられるヘッドとを具備するパターにおいて、前記シャフトの他方端に設けられるグリップであって、
前記グリップの側面は、１以上の平面を有し、
前記１以上の平面のうち一の平面のみが、前記ヘッドのフェース面に対して予め決められた角度をなし、
前記グリップの底面には、前記他方端が挿入されるシャフト挿入孔が形成され、
前記パターは、
前記一の平面が前記ヘッドのフェース面に対して予め決められた角度をなす状態で前記他方端が前記シャフト挿入孔に挿入されるように、前記シャフトと前記グリップとの間の軸周りの位置関係を規定するガイド機構を具備し、
前記ガイド機構は、
前記シャフトの側面の前記他方端の近傍に表出された第一ガイド目印と、
前記他方端が前記シャフト挿入孔に挿入される際に前記第一ガイド目印と位置合わせされる第二ガイド目印であって、前記グリップの底面の、前記シャフト挿入孔の近傍もしくは当該シャフト挿入孔と当該グリップの側面との中間、または、前記グリップの側面の前記底面の近傍、に表出された第二ガイド目印とを有するグリップ。
【国際調査報告】
2019202733.tif 000017
2019202733.tif 000018
2019202733.tif 000019
2019202733.tif 000020